(57)【要約】【課題】確実に最上層の１枚から順に容易にはがしてゆくことができる多層吸収性物品を提供する。【解決手段】液透過性の表面層と液不透過性の防漏層と表面層及び防漏層の間に介在するとともに液保持性を有する吸収層とを備えた吸収体２、３、４が複数重ねられた多層吸収性物品１において、吸収体同士を接合して一体化して、重ねられた複数の吸収体のうち少なくとも一の吸収体には切欠き部２１を設ける。【選択図】　　　図１
2004033348.tif 000002
【特許請求の範囲】
【請求項１】
液透過性の表面層と、液不透過性の防漏層と、前記表面層及び防漏層の間に介在するとともに液保持性を有する吸収層とを備えた吸収体が複数重ねられた多層吸収性物品であって、
前記多層吸収性物品は、前記吸収体同士が接合により一体化されており、
前記重ねられた複数の吸収体のうち、少なくとも一の吸収体には切欠き部が設けられている多層吸収性物品。
【請求項２】
前記切欠き部の形状及び／又は大きさは、前記吸収体の重ねられた順に変化している請求項１に記載の多層吸収性物品。
【請求項３】
前記複数重ねられた吸収体の使用者の肌に接する側を上層側としたとき、前記複数重ねられた吸収体間の剥離強度は上層から下層に行くに従って高くなるように設定されている請求項１又は２のいずれか１項に記載の多層吸収性物品。
【請求項４】
前記複数重ねられた吸収体は、ズレ止め粘着層を一方の最外層側に備え、前記各吸収体間における剥離強度のうち最大のものをＸ、前記ズレ止め粘着層とカナキン３号綿布との剥離強度をＹ、前記吸収体内の各層間における剥離強度のうち最小のものをＺ、としたとき
Ｘ＜Ｙ＜Ｚ
なる関係が成立することを特徴とする請求項１〜３のいずれか１項に記載の多層吸収性物品。
【請求項５】
前記複数の吸収体は、前記切欠き部を除く周囲を接合することにより一体化されている請求項１〜４のいずれか１項に記載の多層吸収性物品。
【請求項６】
液透過性の表面層と、液不透過性の防漏層と、前記表面層及び防漏層の間に介在するとともに液保持性を有する吸収層とを備えた吸収体を複数形成する工程と、
前記複数形成された吸収体のうち少なくとも一の吸収体の一部を切除して切欠き部を形成する工程と、
前記複数の吸収体を一体に接合する工程と、
を備えた多層吸収性物品の製造方法。
【発明の詳細な説明】
【０００１】
【発明の属する技術分野】
本発明は、複数の吸収体を重ね合わせて一体化した多層吸収性物品に関する。
【０００２】
【従来の技術】
生理用品を使用する女性の利便性を重視して、複数の吸収体を積層して一体化した多層吸収性物品が実用化されている。例えば、実願昭６０−３０５６２号明細書のマイクロフィルムには、使用部分をはがしてゆける３層構造の生理用ナプキンが開示されている。このような多層吸収性物品によれば、取り替え用の生理用品の携帯が不要で、かつ、下着の所定位置への取り付け接着操作が１回でよく、さらに、吸収体をはがしてゆくことで、新鮮な吸収体が次々に表面部に現れるために、長時間にわたって使用が可能となり、取り替え時間を短縮することができるという利点がある。
【０００３】
【発明が解決しようとする課題】
しかし、このような積層構造の吸収体を順次使用してゆくためには、最上層の吸収体を一枚ずつうまく剥がしてゆく必要があり、ときには上層の２枚以上の吸収体が同時に剥がれてしまい、使用していない部分まで廃棄しなければならなくなるという問題があった。
【０００４】
そこで、本発明は、確実に最上層の１枚の吸収体から順に容易にはがしてゆくことができる多層吸収性物品を提供することを課題とする。
【０００５】
【課題を解決するための手段】
以下、本発明について説明する。なお、本発明の理解を容易にするために添付図面の参照符号を括弧書きにて付記するが、それにより本発明が図示の形態に限定されるものではない。
【０００６】
本発明の第１の態様は、液透過性の表面層（２２、３２、４２）と液不透過性の防漏層（２３、３３、４３）と表面層及び防漏層の間に介在するとともに液保持性を有する吸収層（２４、３４、４４）とを備えた吸収体（２、３、４）が複数重ねられた多層吸収性物品（１）であって、多層吸収性物品は吸収体同士が接合により一体化されており、重ねられた複数の吸収体のうち少なくとも一の吸収体には切欠き部（２１）が設けられている多層吸収性物品を提供して前記課題を解決する。
【０００７】
この第１態様の多層吸収性物品によれば、表面層と防漏層と表面層及び防漏層の間に介在する吸収層とを備えた吸収体が複数重ねられているので、取り替え用の生理用品の携帯が不要で、下着の所定の位置への取り付け接着操作が１回でよく、さらに、吸収体をはがしてゆくことで、新鮮な吸収体が次々に表面部に現れるために、長時間にわたって使用が可能となり、取り替え時間を短縮することができる。また、吸収体に切欠き部が設けられているので、使用者はこの切欠き部を頼りに、最上層の１枚から順に吸収体を確実にはがしてゆくことができる。
【０００８】
なお、表面層、吸収層、防漏層は、必ずしも３つの材料で構成されている必要はなく、例えば、表面層と吸収層とを１枚の吸収シートから形成しても良い。
【０００９】
上記態様において、切欠き部の形状及び／又は大きさを、吸収体の重ねられた順に変化するように構成しても良い。
【００１０】
このように構成した場合には、切欠き部の形状及び／又は大きさが積層された順に変化しているので、吸収体を上から順に簡単に引き剥がすことが可能となる。
【００１１】
上記のように構成した場合には更に、複数重ねられた吸収体の使用者の肌に接する側を上層側としたとき、複数重ねられた吸収体間の剥離強度は上層から下層に行くに従って高くなるように設定してもよい。
【００１２】
このように構成した場合には、剥離強度の小さい上層側から容易に順次吸収体を引き剥がしてゆくことができる。
【００１３】
また上記のように構成した場合には更に、複数重ねられた吸収体にズレ止め粘着層（５）を一方の最外層側に設け、各吸収体間における剥離強度のうち最大のものをＸ、ズレ止め粘着層とカナキン３号綿布との剥離強度をＹ、吸収体内の各層間における剥離強度のうち最小のものをＺ、としたとき
Ｘ＜Ｙ＜Ｚ
なる関係が成立するように構成することもできる。ここに「カナキン３号綿布」とは、日本規格協会から入手することが可能であって、各種試験に使用されている標準布片である。ここでは、多層吸収性物品の使用者が着用するショーツを想定するものである。
【００１４】
このように構成した場合には、まず最も低い剥離強度Ｘが設定されている各吸収体間において順次引き剥がしが行われ、その後にＸより高い剥離強度Ｙがズレ止め粘着層により実現されているショーツと最下層の吸収体との間の引き剥がしが行われる。また、吸収体内各層間の剥離強度Ｚはこれらの剥離強度Ｘ、Ｙより更に高く設定されているので、上記引き剥がしの間においても各吸収体内部の構造が剥離により破壊されることが防止される。
【００１５】
本発明の第２の態様では、液透過性の表面層と液不透過性の防漏層と表面層及び防漏層の間に介在するとともに液保持性を有する吸収層とを備えた吸収体を複数形成する工程と、複数形成された吸収体のうち少なくとも一の吸収体の一部を切除して切欠き部を形成する工程と、複数の吸収体を一体に接合する工程と、を備えた多層吸収性物品の製造方法により前記課題を解決する。
【００１６】
この態様によれば、第１態様の多層吸収性物品を効率よく製造する方法を提供することができる。
【００１７】
本発明のこのような作用及び利得は、次に説明する実施の形態から明らかにされる。
【００１８】
【発明の実施の形態】
図１は、本発明にかかる多層吸収性物品の一実施形態であるパンティーライナーを示すものであり、（ａ）は、平面図、（ｂ）は（ａ）におけるＢ−Ｂ線断面図、（ｃ）は（ａ）におけるＣ−Ｃ線断面図を示す。この多層吸収性物品１は、上層吸収体２と中間層吸収体３と下層吸収体４との３層により構成されている。各吸収体２、３、４は長手方向端縁部が円形の縦長（図では横長）であって、基本的に同一の形状に形成されている。上層吸収体２及び中間層吸収体３にはそれぞれ切欠き部２１、３１が形成されている。各吸収体における切欠き部２１、３１の数及び位置は基本的には任意に設定してよいが、本実施形態では、使用者がはがし易いという観点から各吸収体層２、３の長手方向両端部にそれぞれ一対づつ設けられている。また切欠き部の大きさは、使用者が上層吸収体２から順に剥がしやすいように上層吸収体２の切欠き部２１が中間層吸収体３の切欠き部３１より大きく形成されている。各層吸収体２、３、４は所定の接合方法により一体に接合固定されている。切欠き部２１、３１の部分では、各層吸収体同士の接合は省略されている。
【００１９】
下層吸収体４の下面には、本実施形態の多層吸収性物品１をショーツ等の着衣に固定するための、ズレ止め粘着層５が設けられている。ズレ止め粘着層５のさらに下層には、包装を兼ねた剥離紙６が配置されている。
【００２０】
なお、図１において符号１０で表されている部分は各層吸収体それぞれにおける表面層／吸収層／防漏層、又は表面層／防漏層の各層間のシール部を表すものであり、これについては後に、図２に関する項において説明するものとする。
【００２１】
使用者がこの多層性吸収性物品１を使用する際には、剥離紙６を引き剥がして、下層吸収体４下面のズレ止め粘着層５をショーツ等の下着に貼り付け、所定時間毎（例えば２時間毎）に、又は汚れの状況に応じて、上層吸収体２、中間層吸収体３の順に引き剥がしてゆけばよい。このようにして一たび、多層吸収性物品１をショーツ等に取り付ければ、上記の例では、２時間毎に引き剥がした場合、６時間取替えが不要となる。従って多くの生理用品を携帯しなくとも済むという利点がある。また、各層吸収体の切欠き部が積層順に異なる大きさに形成されており、しかもこの部分の吸収体間の接合がされていないので、使用者はこれを頼りに最上層の一枚のみを容易に引き剥がすことができる。もって、上層部の２枚を同時に引き剥がしてしまい、未使用の吸収体まで廃棄しなければならなくなるような事態を回避することができる。
【００２２】
図２は、上層吸収体２を単独で示しており、（ａ）は平面図、（ｂ）は（ａ）におけるＩＩＢ−ＩＩＢ線断面図である。各層吸収体２、３、４の基本的な構成は切欠き部２１、３１の形状又は有無を除き、同一であるので、以下においては上層吸収体２に代表させて各層吸収体の説明をする。
【００２３】
上層吸収体２は、使用者の肌に接する側（図２（ｂ）では上側）の表面層２２と、防漏層２３と、表面層２２と防漏層２３とで挟持保持される吸収層２４とを備えている。上層吸収体２では、切欠き部２１、２１を含めて全周囲のシール（接合）が行われる。すなわち、表面層２２／吸収層２４／防漏層２３、又は表面層２２／防漏層２３の各層間のシールが行われ、このシール部が図２（及び図１）では符号１０により表されている。なお、必要に応じて、吸収物をあらわに見えないようにするという観点から、表面層２２と吸収層２４との間に隠蔽層を設けるようにしてもよい。
【００２４】
表面層２２の材料としては、合成繊維や天然繊維からなる不織布、開孔フィルムなどを使用することができる。吸収層２４は、厚さを余りとることがなく、吸収力も適度に有するという観点から、天然繊維や合成繊維による繊維集合体、発泡体などを使用することができる。また、防漏層２３は、各種フィルムや撥水性の不織布などを使用することができる。なお、防漏層２３は、ムレ防止の観点から透湿性を有する材料で構成することが望ましい。
【００２５】
表面層２２の平面形状は吸収層２４の幅方向長さより大きく形成されており、吸収層２４全体の上面を覆っている。防漏層２３は、表面層２２と同一形状で、吸収層２４の下面を覆っている。表面層２２と、防漏層２３と、吸収層２４とは、互いに通常の方法に従って接合されている。左右の切欠き部２１、２１では、切欠き部の切除により表面層２２、防漏層２３、吸収層２４の各層間の剥離がおこらないように強度を向上するため、図２（ｂ）の両端部に示されるように、接着剤・熱的接合・超音波接合等既知の手段を単独又は組み合わせて、複数枚の吸収体を重ね合わせる前に接合が行われている。
【００２６】
次に多層吸収性物品１の層構造を示す図３を参照しつつ、各層吸収体２、３、４間の接合について説明する。これらの各層吸収体間の接合は、上層吸収体２の防漏層２３と中間層吸収体３の表面層３２との間、及び中間層吸収体３の防漏層３３と下層吸収体４の表面層４２との間において行われる。これらの接合は、上層吸収体２から引き剥がすときの利便性の観点から切欠き部２１、３１の部分を除いて全面に施してもよい。あるいは、さらに引き剥がしが容易なものとなるように、切欠き部を除く周囲の部分のみに施してもよい。接合による剥離強度は、確実に上層吸収体２から引き剥がしを行うことができるという観点から、上層吸収体２の防漏層２３と中間層吸収体３の表面層３２との間の剥離強度をｘ、中間層吸収体３の防漏層３３と下層吸収体４の表面層４２との間の剥離強度をＸとしたとき、ｘ＜Ｘとなるように設定することが好ましい。また、下層吸収体４の下面に設けられたズレ止め粘着層５のショーツ等への剥離強度をＹとしたとき
Ｘ＜Ｙ
となるように設定することが好ましい。このようにすれば下層に行くほど剥離強度は大きくなる。すなわち
ｘ＜Ｘ＜Ｙ
となる。
さらにこれらの剥離強度ｘ、Ｘ、Ｙは、各層吸収体２、３、４それぞれにおいて表面層２２、３２、４２、吸収層２４、３４、４４、及び防漏層２３、３３、４３を接合している接合部分の剥離強度Ｚより小となるように設定するとよい。すなわち、各剥離強度の間に、
ｘ＜Ｘ＜Ｙ＜Ｚ
なる関係が成立することが本実施形態においては好ましい。このように設定を行えば、積層された各吸収体が上層吸収体２から下層吸収体４に向けて順に引き剥がされることができ、この引き剥がし操作により、多層吸収性物品１自体がショーツ等から引き剥がされたり、各吸収体を構成する表面層、吸収層、防漏層の間において層剥離が起きたりする事態が防止される。
【００２７】
次に剥離強度の測定方法について、図４を参照しつつ説明する。まず、多層吸収性物品１の接合部を３０ｍｍ程度予め剥離させる。次いで、多層吸収性物品１の下層吸収体４の下面にあるズレ止め粘着層５とカナキン３号綿布（日本規格協会より入手）とを貼り合わせ、２ｋｇのゴムローラーを多層吸収性物品１の表面側に押圧しつつ２往復させて両者を接着固定する。この際に、カナキン３号綿布は、吸収性物品１のズレ止め粘着層５より大きく、多層吸収性物品１の剥離側端部より１０ｍｍ延出させる。この状態で、下層吸収体４側のカナキン３号綿布の延出部をコクヨ製ダブルクリップ特大４１ｍｍ（クリ−Ｊ３２）にて、多層吸収体物品１の端部と合わせて挟む。そして、クリップの持ち手部分をアイコーエンジニアリング製プッシュプルゲージ９５０５（Ｂタイプ）に取り付けたフックに掛ける。この際、フックの引っ張り方向がなるべく垂直方向となるように調整する。次いで、上層吸収体２、又は上層吸収体２及び中間層吸収体３を手でフックの牽引方向とは１８０°反対方向に剥離する。５０ミリメートルほど剥離した場合の最大強度を計測する。このときの剥離速度は２００〜５００ｍｍ／分程度とする。測定は、一つの接合部位について５回実施し、平均値をもって接合強度とする。なお、測定に先立ち接合部を３０ｍｍ程度剥離するのは、一般の吸収性物品では、長手方向端部が丸く形成されているので、正確な測定値を得るため、なるべく長手方向に一定幅となった部分の接合部にて計測を行おうとするためである。このようにして各層吸収体間の剥離強度を測定することが可能である。
【００２８】
以上に説明したように本実施形態の多層吸収性物品１では、上層吸収体２と中間層吸収体３と下層吸収体４との基本構成は同一で、ナプキンやパンティーライナーで従来用いられている材料を制限なく使用することが可能である。また、下記の点において、各層を構成する材料を異なるものとすることにより、好ましい性状を備えた吸収性物品を提供することが可能である。まず上層吸収体２においては、重ね合わせた状態（使用の初期状態）においても多層吸収性物品１が柔軟で違和感の無いものにするという観点から、使用される各材料は坪量の低いものや、柔軟性のあるものであることが好ましい。具体的には、表面層２２として坪量が１５〜２５ｇ／ｍ２の親水処理された合成繊維よりなるエアースルー不織布や、坪量が３０〜４０ｇ／ｍ２のコットンよりなるスパンレース不織布が好ましい。吸収層２４としては、坪量が２０〜５０ｇ／ｍ２の紙やパルプ繊維集合体の吸水性材料よりなるものや、坪量が１５〜３０ｇ／ｍ２の親水処理された合成繊維を主とするエアースルー不織布が好ましい。また必要に応じて、高吸水性ポリマーを吸収層内に使用してもよい。
【００２９】
防漏層２３として、坪量が１０〜２５ｇ／ｍ２の通気性フィルムや、撥水性不織布を使用することが好ましく、柔軟性をより向上するという観点から、スパンボンド不織布、メルトブロー不織布、又は両者の複合体であるＳＭＳ不織布を用いることが好ましい。更に、これらの材料を組み合わせて吸収体全体で坪量を５０〜１００ｇ／ｍ２とすることが好ましい。
【００３０】
一方、下層吸収体４においては、クッション性があり、使用時のヨレを防止するという観点から、坪量の大きなものや、弾性のある材料を使用することが好ましい。具体的には、表面層４２として坪量が１５〜２５ｇ／ｍ２の親水処理された合成繊維よりなるエアースルー不織布や、坪量が３０〜４０ｇ／ｍ２のコットンよりなるスパンレース不織布が好ましい。吸収層４４としては、坪量が３０〜６０ｇ／ｍ２の親水処理された合成繊維を主とするエアースルー不織布が好ましい。防漏層４３として、ズレ止め粘着層５による着衣との接着が行われるため、その強度が高いほうが良く、坪量が２５〜４５ｇ／ｍ２の通気性フィルムや、坪量が１２〜３０ｇ／ｍ２の撥水性不織布（スパンボンド不織布、メルトブロー不織布、又は両者の複合体であるＳＭＳ不織布）を使用することが好ましい。これらの材料を組み合わせて吸収体全体で坪量を７０〜１５０ｇ／ｍ２とすることが好ましい。更に体液による臭気の発生を抑制するために、各種消臭剤（活性炭、ゼオライト、シリカ、シクロデキストリン等）を各吸収体の所定の部位に配合してもよい。この場合、柔軟性を損なわず、コスト面でも有利なことから、下層吸収体４に消臭剤が配合されていることが好ましい。また、柔軟性に富み、消臭剤の脱落がなく、コストの面でも有利であることから、下層吸収体４に消臭剤を配合することに代えて、又はそれに加えて、消臭剤の入った消臭シートを使用することが更に好ましい。
【００３１】
図５は、本実施形態にかかる多層吸収性物品１を製造する工程を模式化して示す図である。この製造工程は上層吸収体２を形成する第１工程部Ｐ１と、中層吸収体３を形成する第２工程部Ｐ２と、下層吸収体４を形成する第３工程部Ｐ３と、第１〜第３工程部にて形成された３層の吸収体を多層接合する第４工程部Ｐ４と、ズレ止め粘着層５を形成し剥離紙６を配置する第５工程部Ｐ５と、を備えている。
【００３２】
第１工程部Ｐ１においては、表面層２２の原反を巻き出す表面層巻き出しロール１２２と、防漏層２３の原反を巻き出す防漏層巻き出しロール１２３と、吸収層２４の原反の巻き出しを行う吸収層巻き出しロール１２４とを備えるとともに、表面層巻き出しロール１２２、及び防漏層巻き出しロール１２３の巻き出し位置近傍にそれぞれホットメルトガン１２５、１２６が設けられている。さらに工程の下流側にはシールロールセット５１Ａ、及びカットロールセット５２Ａが備えられている。
【００３３】
また、第２工程部Ｐ２においては、表面層３２の原反を巻き出す表面層巻き出しロール１３２と、防漏層３３の原反を巻き出す防漏層巻き出しロール１３３と、吸収層３４の原反の巻き出しを行う吸収層巻き出しロール１３４とを備えるとともに、表面層巻き出しロール１３２、及び防漏層巻き出しロール１３３の巻き出し位置近傍にそれぞれホットメルトガン１３５、１３６が設けられている。さらに第２工程部Ｐ２においては、中間層吸収体接合用のホットメルトガン１３７が設けられている。またさらに、工程の下流側にはシールロールセット５１Ｂ、及びカットロールセット５２Ｂが備えられている。
【００３４】
さらに、第３工程部Ｐ３においては、表面層４２の原反を巻き出す表面層巻き出しロール１４２と、防漏層４３の原反を巻き出す防漏層巻き出しロール１４３と、吸収層４４の原反の巻き出しを行う吸収層巻き出しロール１４４とを備えるとともに、表面層巻き出しロール１４２、及び防漏層巻き出しロール１４３の巻き出し位置近傍にそれぞれホットメルトガン１４５、１４６が設けられている。さらに第３工程部Ｐ３においては、下層吸収体接合用のホットメルトガン１４７が設けられている。またさらに、工程の下流側にはシールロールセット５１Ｃが備えられている。
【００３５】
第４工程部Ｐ４には、多層接合ロールセット５３と、多層接合カットロールセット５４とが備えられている。さらに第５工程部Ｐ５には、剥離紙６を巻き出す剥離紙巻き出しロール１０６と、ズレ止め粘着層５を形成するためのズレ止め粘着層用ホットメルト塗工ガン１０５とが備えられている。
【００３６】
第１工程部Ｐ１においては、シールロールセット５１Ａには、常法に従って上層吸収体２を構成すべき表面層２２、吸収層２４、防漏層２３の各原反が各巻き出しロール１２３〜１２５から巻き出されて挿通され、カットロールセット５２Ａ及び、カットロールセット５４により切断が予定される部分に沿って各層原反が予めシールされる。
【００３７】
同様にして第２工程部Ｐ２においては、シールロールセット５１Ｂには、中間層吸収体３を構成すべき表面層３２、吸収層３４、防漏層３３の各原反が各巻き出しロール１２３〜１２５から巻き出されて挿通され、予めカットロールセット５２Ｂ及び、カットロールセット５４により切断される部分に沿って各層原反がシールされる。
【００３８】
また、第３工程部Ｐ３においては、シールロールセット５１Ｃには、下層吸収体４を構成すべき表面層４２、吸収層４４、防漏層４３の各原反が各巻き出しロール１２３〜１２５から巻き出されて挿通され、カットロールセット５４により切断が予定されている部分に沿って各層原反のシールが行われる。
【００３９】
シールロールセット５１Ａ及びシールロールセット５１Ｂによりシールが行われた上層吸収体２、及び中間層吸収体３の原反は次いで、カットロールセット５２Ａ、及び５２Ｂに挿通される。カットロールセット５２Ａ、５２Ｂの上下のロールにはそれぞれ切欠き部２１、３１に対応する所定形状の段差が形成されており、これらにより上層吸収体２及び中間層吸収体３の原反に、挿通の間に切欠き部２１、３１が形成されるように所定形状の切断が行われる。カットロールセット５２Ａを通過した上層吸収体２の原反、カットロールセット５２Ｂを通過した中間層吸収体３の原反、及びシールロールセット５１Ｃを通過した下層吸収体４の原反は、積層されて第４工程部Ｐ４へと送られる。
【００４０】
第４工程部Ｐ４では、各層吸収体原反が積層されて多層接合ロールセット５３に挿通される。多層接合ロールセット５３では、各層吸収体の外周部、及び全面の接合（左右の切欠き部２１、３１を除く。）が、上層吸収体２の防漏層２３と中間層吸収体３の表面層３２との間、及び中間層吸収体３の防漏層３３と下層吸収体４の表面層４２との間において行われる。その後、多層カットロールセット５４により、多層吸収性物品１の形状に切り抜かれる。
【００４１】
第５工程部Ｐ５においては、ズレ止め粘着層用ホットメルト塗工ガン１０５により下層吸収体４の下面にズレ止め粘着層５が塗布される。次いで、剥離紙巻き出しロール１０６から剥離紙が巻き出され、ズレ止め粘着層５のさらに下層に装着されて、多層吸収性物品１が完成する。
【００４２】
上記工程において、接合の方法は、ホットメルト等の接着剤による方法、ヒートシールによる方法、超音波による方法等の中から適宜選択・組み合わせて使用することができるが、ホットメルト等の接着剤と圧力下におけるヒートシールとを組み合わせて用いることが安定した接合強度が得られる点で好ましい。また、多層接合の方法においても、各層の接合と同様の方法を使用できるが、上層吸収体２と中間層吸収体３との間、及び、中間層吸収体３と下層吸収体４との間の剥離強度に差を設けることが好ましいことは前記したとおりである。これを実現するため、具体的には各層の接合前の表面層と吸収層（又は防漏層）間のホットメルト接着時に、中間層吸収体３より剥離強度を高めたい下層吸収体４では、
▲１▼　塗工方法を変更する（カーテン塗工、スパイラル塗工など）。
▲２▼　塗工坪量を上げる。
▲３▼　接合部位で重ね塗工する（中間層吸収体接合用ホットメルト、下層吸収体接合用ホットメルト）。
のいずれかを選択・組み合わせて行うことが好ましい。▲１▼及び▲２▼の手段は、上層吸収体２と中間層吸収体３との間、及び、中間層吸収体３と下層吸収体４との間の接合部のホットメルト滲み出し量が変わることを利用し、接合強度をコントロールしている。
【００４３】
具体的には、図５において、第２工程部Ｐ２及び第３工程部に配置されているホットメルトガン１３５、１４５を変更することで、同一塗工量であっても接合強度をコントロールすることが可能な手段が▲１▼である。例えば、第２工程部Ｐ２において、ホットメルトガン１３５として均一塗工方式であるカーテン塗工ガンを使用し、第３工程部Ｐ３においては、ホットメルトガン１４５として線状部分にホットメルトが集中する塗工方式であるスパイラル塗工ガンを配置することが考えられる。▲２▼は、これらのホットメルトガン１３５、１４５において塗工量を変更するものである。
【００４４】
一方、▲３▼の手段は、第２工程部Ｐ２に中間層吸収体接合用ホットメルトガン１３７、第３工程部Ｐ３に下層吸収体接合用ホットメルトガン１４７を配置し、接合部位付近のみにホットメルト量を増加させることによって接合強度をコントロールできる。
【００４５】
使用しているホットメルトに特に限定はないが、前述したとおり、接合部位では、接着剤が中間層吸収体３、下層吸収体４の表面層３２、４２の表面側へ微小量滲み出てくる可能性があることから、肌へのべたつきのないタイプのホットメルトを使用することが好ましい。
【００４６】
このほか、肌当接面に接着剤が存在しないようにするため、各表面層の肌当接面側に弱い剥離処理加工や、防汚加工のような接着剤が剥がれやすく、残りにくい加工を施したり、防漏材に接着剤との親和性の高い加工（親油処理など）を施すなどして、剥離時に防漏層側に接着剤が移動し、表面層側に接着剤を残さないよう、各吸収体間に直接接着剤を配合し、接合を行うことも可能である。
【００４７】
前述したように、シールロールセットによる接合の後、各カットロールセット５２Ａ、５２Ｂによって、切欠き部の形成部位が切断され、多層接合ロールセット５３による多層接合が行われる。その後、多層カットロールセット５４によりシールロールセットによる接合形状に沿った形状で、多層吸収性物品１の形状に全周が切断される。接合部と切断部との関係では、接合部は多層吸収性物品の周縁形状に形成されることが好ましく、切断部はある幅を有した接合部の中央部、又はその周縁形状より２ｍｍ〜５ｍｍ外側に離れた位置にあることが、外観形状の美しさや肌触りの点から好ましい。
【００４８】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う多層吸収性物品もまた本発明の技術的範囲に包含されるものとして理解されなければならない。例えば以下に示すような変形例は本願発明の技術的範囲に属するものと理解されなければならない。
（変形例）
１．上記実施形態では、吸収体の層数を３層としたが、２層あるいは４層以上であってもよい。４層以上とした場合には、最上層部から順に引き剥がしを行うことができるという観点から、各吸収体間の接合強度を上層側へ行くほど弱く設定するとよい。
２．切欠き部を吸収体の長手方向左右２箇所に設けたが、左右いずれか１箇所のみに設けるようにしてもよい。また周上の任意の場所に設けることもできる。
３．表面層、吸収層、防漏層、各層間の接合位置を周囲部としたが、全面に渡って接合しても良い。この場合、全面にわたりベタ、スポット状、スパイラル状、線状のいずれかの態様によって接合箇所を設けても良い。
４．切欠き部を内側にえぐる方向に設けず、各層の長手方向の長さに差を設けて、（この差が本発明の切欠き部となる。）これを頼りに最上層の１枚から順に吸収体をはがしてゆくことができるように構成しても良い。
５．切欠き部を切断する方法として、カットロールセットによる方法を示したが、例えばシェアカット、ピンチカット、熱シールカット、超音波シールカット、圧接カット、ウオータージェット、レーザーカットなどの方法により切断することも可能である。
６．使用者が吸収体を引き剥がす手がかりとして、切欠き部に加えて突出部を設けてもよい。この場合、切欠き部と突出部とは、自由に組み合わせることができる。例えば、上層吸収体２には切欠き部と突出部、中間層吸収体３は切欠き部と切欠き部、あるいは上層吸収体２には切欠き部と突出部、中間層吸収体３は突出部と切欠き部とを組み合わせて構成することができる。
７．各吸収体間の接合は周囲部としたが、スポット状に全面に渡って接合しても良い。
８．各層間の接合位置と各吸収体との接合位置は、重なっていても、ずれていても良い。
９．本発明において、切欠き部の大きさを上層吸収体から下層吸収体に行くにしたがって順に変化させてゆくことは、必ずしも必須とされているものではない。例えば吸収性物品が４層の吸収体により構成されている場合、切欠き部の大きさは上層吸収体側から、
（中）・（大）・（小）・（なし）
のように構成してもよい。また上記において、（中）、及び（小）となっている第１層と第３層との大きさを同一にしてもよい。
１０．各カットロールセット５２Ａ、５２Ｂによって、切欠き部を形成するとともに切欠き部側端部とは異なる端部に突出部を形成しても良い。この場合、切欠き部及び突出部は、前後端部側に形成されるため、各層のカットロールセット５２Ａ、５２Ｂによって、前後端部側が切欠き部と突出部の形状に接合部に沿って切断され（各層は、この形状に接合されている。）、多層接合が行われた後に、多層吸収体の形状に切り出される。なお、多層接合後の切断は、各層の切断が行われていない両側部にて行われる。
【００４９】
【実施例】
本実施例においては、ロリエパンティーライナー無香タイプ（花王株式会社製。「ロリエ」及び「ロリエパンティーライナー」は花王株式会社の登録商標。）と同じ大きさ・形状にて多層吸収性物品１を作製した。
【００５０】
上層吸収体／中間層吸収体：表面層にユニチカ株式会社製コットエースＣＯ３０Ｓ／Ａ１８（「コットエース」はユニチカ株式会社の登録商標。）、吸収層に、大和紡績株式会社製ＮＢＦ（ＳＨ）（「ＮＢＦ」は大和紡績株式会社の登録商標。）２ｄｔｅｘ　×　５１ｍｍ繊維をエアースルー方式により不織布化した坪量２０ｇ／ｍ２の不織布を親水処理をしたもの、防漏層には、通気性を備えている、旭化成株式会社製エルタスガードＰＭＯ１７（「エルタスガード」は旭化成株式会社の登録商標。）を使用した。また、表面層と吸収層との間の接着、及び、吸収層と防漏層との間の接着に、積水エスダイン製エスダイン９１７２Ｒ（「エスダイン」は積水化学工業株式会社の登録商標。）をスパイラル状に、坪量３ｇ／ｍ２にて塗布して使用した。
【００５１】
下層吸収体：表面層にユニチカ株式会社製コットエースＣＯ３０Ｓ／Ａ１８、吸収層に大和紡績株式会社製の繊維　ＮＢＦ（ＳＰ）２．２ｄｔｅｘ　×　５１ｍｍをエアスルー方式にて不織布化した坪量４０ｇ／ｍ２の不織布を親水化処理したもの、防漏層に三菱化学株式会社の通気性シートＫＧ４４１３を使用した。また表面層と吸収層との間の接着、及び、吸収層と防漏層との間の接着に積水エスダイン製エスダイン９１７２Ｒをスパイラル状に、坪量５ｇ／ｍ２にて塗布して使用した。
【００５２】
上層吸収体と中間層吸収体との間の剥離強度は１０６ｃＮ、中間層吸収体と下層吸収体との間の剥離強度は１３８ｃＮ、ズレ止め粘着層とショーツとの間の剥離強度は２７７ｃＮであった。
【００５３】
【発明の効果】
以上に説明したように、本発明の第１態様の多層吸収性物品によれば、吸収体に切欠き部が設けられているので、使用者はこの切欠き部を頼りに、最上層の１枚から順に吸収体を確実にはがしてゆくことができる。
【００５４】
上記態様において、切欠き部の形状及び／又は大きさを、吸収体の重ねられた順に変化するように形成した場合には、切欠き部の形状及び／又は大きさが積層された順に変化して、吸収体を上から順に簡単に引き剥がすことが可能となる。
【００５５】
更に、複数重ねられた吸収体の使用者の肌に接する側を上層側としたとき、複数重ねられた吸収体間の剥離強度を上層から下層に行くに従って高くなるように設定した場合には、剥離強度の小さい上層側から容易に順次吸収体を引き剥がしてゆくことができる。
【００５６】
また更に、複数重ねられた吸収体にズレ止め粘着層を一方の最外層側に設け、各吸収体間における剥離強度のうち最大のものをＸ、ズレ止め粘着層とカナキン３号綿布との剥離強度をＹ、吸収体内の各層間における剥離強度のうち最小のものをＺ、としたとき
Ｘ＜Ｙ＜Ｚ
なる関係が成立するように構成した場合には、まず最も低い剥離強度Ｘが設定されている各吸収体間において順次引き剥がしが行われ、最後にＸより高い剥離強度Ｙがズレ止め粘着層により実現されているショーツと最下層の吸収体との間の引き剥がしが行われる。また、吸収体各層間の剥離強度Ｚはこれらの剥離強度より高く設定されているので、上記引き剥がしの間においても各吸収体内部の構造が剥離により破壊されることが防止される。
【００５７】
本発明の第２態様の製造方法によれば、第１態様の多層吸収性物品を効率よく製造する方法を提供することができる。
【図面の簡単な説明】
【図１】本発明にかかる多層吸収性物品の一実施形態を示す図である。
【図２】上層吸収体の（ａ）は平面図、（ｂ）は（ａ）におけるＩＩＢ−ＩＩＢ線断面図である。
【図３】多層吸収性物品の層構造を示す図である。
【図４】剥離強度の測定方法を示す図である。
【図５】多層吸収性物品を製造する工程を模式化して示す図である。
【符号の説明】
１　多層吸収性物品
２　上層吸収体
３　中間層吸収体
４　下層吸収体
５　ズレ止め粘着層
２１　切欠き部
２２、３２、４２　表面層
２３、３３、４３　防漏層
２４、３４、４４　吸収層
【図１】
2004033348.tif 000003
【図２】
2004033348.tif 000004
【図３】
2004033348.tif 000005
【図４】
2004033348.tif 000006
【図５】
2004033348.tif 000007